(57)【要約】【課題】  対合歯と適切な咬合関係を得るために人工歯の排列位置を調整することが容易であって、しかも調整した人工歯近傍の蝋堤表面の損傷等が少ない人工歯排列器具を提供する。【解決手段】  柄部２と該柄部に接続する胴体部３と該胴体部から前方に向けて並設された一対の細幅状腕部４、４を有し、該腕部は蝋堤７に排列された人工歯６の基底面６ａに当接する当接用の先端４ａ、４ａを有することを特徴とする。【選択図】  図２
2014057666.tif 000002
【特許請求の範囲】
【請求項１】
柄部と該柄部に接続する胴体部と該胴体部から前方に向けて並設された一対の細幅状腕部を有し、該腕部は蝋堤に排列された人工歯の基底面に当接する当接用の先端を有することを特徴とする人工歯排列器具。
【請求項２】
側面視において、前記柄部が直線状とされ、前記胴体部が湾曲または屈曲形状とされ、前記腕部の先端が前記柄部の軸線の略延長線上に略位置していることを特徴とする請求項１記載の人工歯排列器具。
【請求項３】
細長状金属板によって前記柄部、胴体部、腕部が一体に形成されていることを特徴とする請求項１または２記載の人工歯排列器具。
【請求項４】
前記腕部は長さ１０〜１５ｍｍ、幅１ｍｍ〜２ｍｍ、厚さ１ｍｍ〜２ｍｍで、前記腕部の隙間の間隔は３〜８ｍｍであることを特徴とする請求項３記載の人工歯排列器具。
【請求項５】
少なくとも前記胴体部と腕部がステンレス鋼であることを特徴とする請求項１、２、３または４記載の人工歯排列器具。
【発明の詳細な説明】
【技術分野】
【０００１】
この発明は、人工歯排列器具に関するものである。さらに詳しくは、この発明は、義歯の製作において、蝋堤への人工歯排列に際し、対合歯と適切な咬合関係が得られるように人工歯の排列位置を調整するのに使用する人工歯排列器具に関するものである。
【背景技術】
【０００２】
義歯製作において、上下顎の対合歯の咬合が適切な状態で行われるように蝋堤へ人工歯を排列することが重要である。
人工歯は、咬合器に装着した上下顎の咬合床の各蝋堤にワックススパチュラ等のワックスインスツルメントを用い、通法に従って排列されるが、対合歯と適切な咬合を得るように排列することは、熟練した歯科技工士等にとっても容易なことではない。
対合歯との咬合が不適切な場合は、適切な咬合が得られるように排列した人工歯の位置を微妙に調整する必要がある。
従来、排列した人工歯の位置の調整は、手用の歯科用インスツルメント（例えば、ワックスインスツルメント（非特許文献１）のうち単針やへらを有するもの）を用い、歯科用インスツルメントの柄部を手で持って、単針やへらをガスバーナー等によって蝋堤の溶融温度にまで加熱し、該先端部で咬合を調整する人工歯近傍の蝋堤を溶融軟化させつつ差し込み、人工歯近傍の蝋堤が溶融軟化した状態を利用して、人工歯の基底面を単針やへらの先端で押して対合歯と適切な咬合が得られる位置になるように人工歯を移動させていた。
【先行技術文献】
【非特許文献】
【０００３】
【非特許文献１】奥野善彦等編、「歯科技工辞典」、医師薬出版株式会社、１９９１年９月１０日、ｐ．５３４
【発明の概要】
【発明が解決しようとする課題】
【０００４】
図９は、単針４２を有するワックスインスツルメント４１を示す。
図１０は、へら５２を有するワックスインスツルメント５１を示す。
【０００５】
図１１は、図９に示すワックスインスツルメント４１の単針４２を舌側から蝋堤４３に差し込み、単針４２の先端で人工歯４４の基底面４４ａを押して対合歯（図示せず）と適切な咬合が得られる位置へと人工歯の位置を調整する状態を示す。
このワックスインスツルメント４１では、単針４２の先端で人工歯４４の基底面４４ａを押すことから、押す方向が安定せず、人工歯４４を意図する位置に移動させるのは熟練した歯科技工士等であっても困難で、一度で対合歯と適切な咬合を得ることは容易ではない。そのため、対合歯と適切な咬合が得られるまで、ワックスインスツルメント４１の単針４２を加熱し、蝋堤へ異なった方向から差し込み、先端により人工歯４４の基底面を押すといった作業を数回にわたり繰り返すことが必要となる。
このような複数回にわたる作業により、咬合を調整する人工歯近傍の蝋堤表面が数箇所にわたって崩壊してしまい、蝋堤表面を広範囲にわたって形成し直すことが必要となる。
このような人工歯近傍の複数箇所にわたって崩壊した蝋堤表面の修復には、微妙なタッチの手作業を根気よく長時間にわたって行うことが必要とされる。
【０００６】
図１２は、図１０に示すワックスインスツルメント５１のへら５２を頬側から蝋堤５３に差し込み、へら５２の先端で人工歯５４の基底面５４ａを押して対合歯（図示せず）と適切な咬合が得られる位置に人工歯の位置を調整する状態を示す。
このワックスインスツルメント５１では、へら５２の先端で人工歯５４の基底面５４ａを押すことから、へら５２の先端と人工歯５４の基底面５４ａとは点状に接触し、押す方向が安定せず、一度で対合歯と適切な咬合を得ることは容易ではない。ただ、柄部を捻ったりすれば、へら５２の先端による基底面５４ａとの接触箇所を変えることができ、単針と比べれば、人工歯５４の基底面５４ａを押す方向を調整できる利点はあるが、へら５２はある程度の幅があることから、へら５２を蝋堤に差し込み、へら５２の先端により人工歯を押す作業を行ったり、柄部を捻ってへら５２の先端と基底面５４ａとの接触箇所を変えて基底面５４ａを押す作業を行ったり、さらには、へら５２を再加熱し、蝋堤へ異なった方向から差し込み、先端により人工歯５４の基底面を押すといった作業を数回にわたり繰り返したりすると、咬合を調整する人工歯近傍の蝋堤表面に大きな変形が生じたり、広範囲にわたる崩壊が生じ易く、蝋堤表面を大幅に形成し直すことが必要となる。広範囲にわたり崩壊等した蝋堤の修復はワックスの収縮を引き起こし、人工歯の位置がずれ易く、せっかく得られた対合歯との適正な咬合関係が消失することになる。そのため、このような蝋堤の修復はワックスの収縮を引き起こさないように、注意深く確認を繰り返しつつ微妙なタッチの手作業を行うことが必要である。
【０００７】
このようなことから、既存の単針やへらを有する歯科用インスツルメント等によって、人工歯の位置を調整して対合歯との適切な咬合を得るのは、煩雑であって、生産効率が劣り、高コストとならざるを得ない。
【０００８】
この発明は、上記のような実情に鑑み鋭意研究の結果創案されたものであり、対合歯と適切な咬合関係を得るために人工歯の排列位置を調整することが容易であって、しかも調整した人工歯近傍の蝋堤表面の損傷等が少ない人工歯排列器具を提供することを目的としている。
【課題を解決するための手段】
【０００９】
上記課題を解決するために、この発明の人工歯排列器具は、（１）柄部と該柄部に接続する胴体部と該胴体部から前方に向けて並設された一対の細幅状腕部を有し、該腕部は蝋堤に排列された人工歯の基底面に当接する当接用の先端を有することを特徴とする。
（２）前記（１）において、側面視において、前記柄部が直線状とされ、前記胴体部が湾曲または屈曲形状とされ、前記腕部の先端が前記柄部の軸線の略延長線上に略位置していることが好ましい。
（３）前記（１）または（２）において、細長状金属板によって前記柄部、胴体部、腕部が一体に形成されていることが好ましい。
（４）前記（３）において、前記腕部は長さ１０〜１５ｍｍ、幅１ｍｍ〜２ｍｍ、厚さ１ｍｍ〜２ｍｍで、前記腕部の隙間の間隔は３〜８ｍｍであることが好ましい。
（５）前記（１）、（２）、（３）または（４）において、少なくとも前記胴体部と腕部がステンレス鋼であることが好ましい。
【発明の効果】
【００１０】
この発明は、以上説明したように構成されているので、以下に記載されるような効果を奏する。
すなわち、人工歯排列の際、また場合によっては歯肉形成後において、咬合器に装着した蝋義歯の対合歯の咬合が不適切な場合、少なくとも腕部をガスバーナー等の加熱手段によって蝋堤の溶融温度にまで加熱し、柄部を手でもって咬合を調整する人工歯近傍の蝋堤を溶融軟化させつつ蝋堤に差し込み、人工歯の基底面を一対（すなわち、２本）の腕部の当接用の先端を利用して必要な方向へ必要な量押すことで、容易かつ確実に対合歯と適切な咬合が得られる排列位置へと人工歯の位置を調整することができる。
より具体的には、人工歯排列器具の柄部を手で持って、２本の腕部を蝋堤の頬側または舌側から差し込む。この時、例えば、２本の腕部を蝋堤の奥へ差し込んで、２カ所の当接用の先端を同時に人工歯の基底面の奥側に当接させ、その状態で人工歯の基底面を押すことで、人工歯の奥側を咬合調整に必要な方向へ必要な量容易かつ確実に移動させることができ、２本の腕部を蝋堤の手前に差し込んで、２カ所の当接用の先端を同時に人工歯の基底面の手前側に当接させ、その状態で人工歯の基底面を押すことで、人工歯の手前側を咬合調整に必要な方向へ必要な量容易かつ確実に移動させることができる。また、２本の腕部を蝋堤の所定深さにまで差し込んで、２カ所の当接用の先端を同時に人工歯の基底面に当接させ、その状態で、柄部を反時計方向に捻って人工歯の基底面を押すことで、人工歯の右側を咬合調整に必要な方向へ必要な量容易かつ確実に移動させることができ、柄部を時計方向に捻って人工歯の基底面を押すことで、人工歯の左側を咬合調整に必要な方向へ必要な量容易かつ確実に移動させることができる。
人工歯排列器具の２本の腕部を蝋堤に差し込み、腕部の先端が人工歯の基底面に当接した状態で人工歯の排列位置を調整することから、人工歯近傍の蝋堤表面の損傷や崩壊等が少ない。そのため、腕部を蝋堤から抜き出した後に行う蝋堤表面の修復は、ワックスの収縮による人工歯の移動や適切な咬合の消失等が生ずることなく、容易かつ迅速に行えることになる。
従って、この発明の人工歯排列器具を用いれば、人工歯の位置を調整して対合歯との適切な咬合を得ることが容易であって、生産効率が高く、コストを低減できることになる。
【図面の簡単な説明】
【００１１】
【図１】この発明の人工歯排列器具の一実施の形態を示し、（ａ）は平面図、（ｂ）は側面図である。
【図２】図１に示す人工歯排列器具を用いて人工歯の位置を舌側から調整する作業における、（ａ）は説明用切断図、（ｂ）は平面側からの説明図である。
【図３】図１に示す人工歯排列器具を用いて人工歯の位置を舌側から調整する作業を経時的に示し、（ａ）は調整作業前、（ｂ）は調整作業時、（ｃ）は調整後の説明図である。
【図４】図１に示す人工歯排列器具を用いて人工歯の位置を頬側から調整する作業における説明用切断図である。
【図５】この発明の人工歯排列器具の他の実施の形態を示し、（ａ）は平面図、（ｂ）は側面図である。
【図６】この発明の人工歯排列器具のさらに他の実施の形態を示し、（ａ）は一部破断した平面図、（ｂ）は一部破断した側面図である。
【図７】この発明の人工歯排列器具のさらに他の実施の形態を示し、（ａ）は平面図、（ｂ）は側面図、（ｃ）は人工歯の位置を頬側から調整する作業における説明用切断図である。
【図８】この発明の人工歯排列器具のさらに他の実施の形態を示し、（ａ）は平面図、（ｂ）は側面図である。
【図９】従来の単針を有するワックスインスツルメントであって、（ａ）は側面図、（ｂ）は平面図である。
【図１０】従来のへらを有するワックスインスツルメントであって、（ａ）は側面図、（ｂ）は平面図である。
【図１１】図９に示すワックスインスツルメントを用いて人工歯の位置を調整する作業における、（ａ）は説明用切断図、（ｂ）は平面側からの説明図である。
【図１２】図１０に示すワックスインスツルメントを用いて人工歯の位置を調整する作業における、（ａ）は説明用切断図、（ｂ）は平面側からの説明図である。
【発明を実施するための形態】
【００１２】
以下、発明を実施するための形態を示し、さらに詳しくこの発明について説明する。もちろんこの発明は以下の実施の形態によって限定されるものではない。
図１に、この発明の人工歯排列器具の一実施の形態を示す。この人工歯排列器具１は、ステンレス鋼やチタン合金等からなる細幅状金属板を加工してなり、柄部２と、柄部２に接続する胴体部３と、胴体部３から前方に向けて並設された一対の細幅状の腕部４、４を有し、腕部４、４は蝋堤に排列された人工歯の基底面に当接する当接用の先端４ａ、４ａを有する。
図１（ｂ）に示されるように、側面視において、胴体部３は、柄部２との境界部から斜め下方に折れ曲がり、胴体部３の中間で斜め上方に折れ曲がった下方に向かって凸な屈曲形状となっており、胴体部３から前方に向けて平行に並設された腕部４の先端が、柄部２の軸線の略延長線上に位置するようになっている。
２本の腕部４、４は直線状で、その長さは同じで平均的な人工第１大臼歯の頬舌幅寸法より若干長い１０〜１５ｍｍ、幅は１〜２ｍｍ、厚さは１〜２ｍｍで、腕部の隙間の間隔は３〜８ｍｍに設定されている。
【００１３】
人工歯排列器具１は、例えば、人工歯を排列した段階において、咬合器に装着した蝋義歯の人工歯と対合歯との咬合が不適切な場合、少なくとも腕部をガスバーナー等の加熱手段によって蝋堤の溶融温度にまで加熱し、例えば、図２で示すように、柄部２を手（図示せず。）で持って咬合を調整する人工歯６（図２では下顎臼歯としているがこれに限られない。）近傍の蝋堤７を溶融軟化させつつ蝋堤に差し込み、一対（すなわち、２本）の腕部４、４の２箇所の当接用の先端４ａ、４ａを人工歯６の基底面６ａの頬側に同時に当接させ、その状態で、当接用の先端４ａ、４ａを利用して基底面６ａを必要とする方向に必要な量押すことで、対合歯と適切な咬合が得られる排列位置へ人工歯の位置を容易かつ確実に調整することができる。
人工歯の位置を調整し、対合歯と適切な咬合が得られたら、人工歯排列器具１の腕部４、４を蝋堤７から抜き取る。排列された人工歯の位置を調整した後の蝋堤表面を形成し直す作業は、腕部等をガスバーナー等で再加熱した人工歯排列器具１を用い、通法に従って行ってもよいが、適宜のワックスインスツルメントを用いて通法に従って行ってもよい。いずれにしても、人工歯の位置を調整した後の蝋堤表面を修復する作業は、咬合を調整した人工歯近傍の蝋堤表面の損傷や崩壊が少ないことから、ワックスの収縮による人工歯の移動、適切な咬合の消失等を考慮することなく、容易かつ迅速に行うことができる。
【００１４】
以下、図２、図３に基づき、さらに人工歯の位置の調整について具体的に説明する。
図２（ａ）においては、咬合器（図示せず）に装着された下顎作業模型８に装着された下顎蝋義歯９の一方（図２（ａ）で左方）の人工歯６近傍の蝋堤７に舌側から人工歯排列器具１の腕部４、４を差し込み、腕部４、４の先端４ａ、４ａを人工歯６の基底面６ａの頬側に当接させた状態を示しており、図２（ｂ）は、人工歯６の基底面６ａの頬側に腕部４、４の先端４ａ、４ａが２箇所で当接したことを示している。
この状態で、人工歯６の基底面６ａの頬側を図２（ｂ）においては、押し上げるように人工歯排列器具１の柄部２を手で操作することで、人工歯６の頬側を必要な方向へ必要な量容易かつ確実に移動させることができる。
つまり、図３（ａ）に示すように、上顎人工歯１０と下顎人工歯６の咬合が不適切な場合、図３（ｂ）に示すように蝋堤７の舌側から人工歯排列器具１の腕部４、４を差し込み、腕部４、４の先端４ａ、４ａを２点鎖線で示す状態にある人工歯６の基底面６ａの頬側に同時に当接させる。そして、人工歯排列器具１の柄部２を手で操作し、人工歯６の基底面６ａの頬側を押して人工歯６を必要な方向へ（図３（ｂ）の場合は上方へ）必要な量移動させることで、実線で示す如き状態とする。これにより、図３（ｃ）に示すように上顎の対合人工歯と適切な咬合が得られる位置にまで下顎に排列された人工歯６の位置が調整されたことになる。
【００１５】
図１に示す人工歯排列器具１の胴体部３は、側面視屈曲形状となっていることから、図２に示すように、一方の人工歯６近傍の蝋堤７に舌側から腕部４、４を差し込んで、腕部４、４の先端４ａ、４ａを人工歯６の基底面６ａに当接させ、人工歯６の基底面６ａを押しても、人工歯排列器具１の柄部２と反対側に位置する他方（図２（ａ）で右方）の人工歯とが干渉する恐れがなく、人工歯６の位置の調整に支障が生じない。
そして、人工歯排列器具１は、側面視において前記腕部の先端が前記柄部の軸線の略延長線上に略位置していることから、腕部４、４の先端４ａ、４ａが蝋堤の中に差し込まれて直接目では確認できなくても、柄部２を頼りに腕部４、４の先端４ａ、４ａの位置が把握しやすく、必要な方向に必要な量だけ人工歯６の基底面６ａを押すことができる。
【００１６】
蝋堤に排列された人工歯と対合歯の咬合が不適切な状態が図３と異なれば、例えば、人工歯排列器具１の腕部４、４の先端４ａ、４ａを蝋堤７の舌側から差し込み、人工歯６の基底面６ａの舌側に同時に当接させて、その状態で、人工歯６の基底面６ａの舌側を必要な方向へ必要な量だけ押して、対合歯と適切な咬合が得られる排列位置へ人工歯の位置の調整するようにすればよい。
【００１７】
図４は、人工歯排列器具１の腕部４、４を蝋堤７の頬側から差し込み、腕部４、４の先端４ａ、４ａを人工歯６の基底面６ａの舌側に同時に当接させた状態を示している。
この状態で、人工歯６の基底面６ａの舌側を押すように人工歯排列器具１の柄部２を手で操作することで、人工歯６の舌側を必要な方向へ必要な量容易かつ確実に移動させることができることになるが、人工歯排列器具１の操作は、図２、図３について説明したと同様なことから詳細な説明は省略する。
【００１８】
従って、この人工歯排列器具によれば、咬合器に蝋義歯が装着された状態において、蝋堤に排列された人工歯と対合歯の咬合がどの様か、またどの程度不適切な状態にあるかや作業のし易さ等を勘案して、人工歯排列器具の腕部の差し込み方向を頬側または舌側とするか、腕部の先端を人工歯の基底面のどの位置に当接させるか、人工歯の基底面をいずれの方向にどの程度押すのが適切か等を決定し、それに応じて人工歯排列器具を使用することで、人工歯を必要な方向へ必要な量、確実に移動させることができ、対合歯と適切な咬合が得られる排列位置へと人工歯の位置を容易に調整することができる。
より具体的には、人工歯排列器具の柄部を手で持って、２本の腕部を蝋堤の頬側または舌側から差し込む。この時、例えば、２本の腕部を蝋堤の奥（頬側から差し込んだ場合は舌側、舌側から差し込んだ場合は頬側）へ差し込んで、２カ所の当接用の先端を同時に人工歯の基底面の奥側に当接させ、その状態で人工歯の基底面を押すことで、人工歯の奥側を咬合調整に必要な方向へ必要な量容易かつ確実に移動させることができ、２本の腕部を蝋堤の手前（頬側から差し込んだ場合は頬側、舌側から差し込んだ場合は舌側）に差し込んで、２カ所の当接用の先端を同時に人工歯の基底面の手前側に当接させ、その状態で人工歯の基底面を押すことで、人工歯の手前側を咬合調整に必要な方向へ必要な量容易かつ確実に移動させることができる。また、２本の腕部を蝋堤の所定深さにまで差し込んで、２カ所の当接用の先端を同時に人工歯の基底面に当接させ、その状態で、柄部を反時計方向に捻って人工歯の基底面を押すことで、人工歯の右側を咬合調整に必要な方向へ必要な量容易かつ確実に移動させることができ、柄部を時計方向に捻って人工歯の基底面を押すことで、人工歯の左側を咬合調整に必要な方向へ必要な量容易かつ確実に移動させることができる。
人工歯排列器具の２本の腕部を蝋堤に差し込み、腕部の先端が人工歯の基底面に当接した状態で人工歯の排列位置を調整することから、蝋堤表面の損傷や崩壊等が少ない。そのため、腕部を蝋堤から抜き出した後に行う蝋堤表面の修復は、ワックスの収縮による人工歯の移動や適切な咬合の消失等が生ずることなく、容易かつ迅速に行えることになる。
人工歯排列器具による人工歯排列位置の調整は、前記したように、人工歯を蝋堤に排列する段階で行うだけでなく、さらに、必要に応じ、歯肉が形成された段階で行ってもよい。
【００１９】
腕部の長さを平均的な人工第１大臼歯の頬舌幅寸法より若干長い１０〜１５ｍｍとすることで、腕部の先端が人工歯の基底面に当接するまで差し込まれても、胴体部までが蝋堤に差し込まれることにはならない。そのため、その状態で、人工歯を押して人工歯の位置を移動させても、胴体部によって蝋堤表面が損傷されたり崩壊される恐れがない。
腕部の幅を１〜２ｍｍ、厚さを１〜２ｍｍとし、腕部の隙間の間隔を３〜８ｍｍとすることで、腕部を蝋堤に差し込んで、腕部の先端を人工歯の基底面に２箇所で当接させた状態で安定・確実に基底面を押すことができるとともに、人工歯近傍の蝋堤表面の損傷等を大きくしないで咬合調整を行うことができる。
腕部の長さ、腕部の幅、腕部の厚さ、腕部の隙間の異なる数種の人工歯排列器具を用意することで、Ｓ、Ｍ、Ｌ等のサイズの異なる人工歯の咬合調整に際し、適宜選択して使用するにしてもよい。
【００２０】
人工歯排列器具には、前記したようにステンレス鋼やチタン合金等が採用されているが、これは、少なくとも腕部をガスバーナー等の加熱手段によって、蝋堤の溶融温度にまで加熱しても、酸化したり、熱変形等しないことが必要なことによる。
【００２１】
そして、人工歯排列器具の表面は、平滑処理がなされていることが好ましい。これにより人工歯排列器具の熱で、蝋堤を溶融軟化させた際に付着したワックスを容易に除去できることになる。
【００２２】
腕部４を直線状としているが、これに限られず、例えば、側面視において湾曲していてもよい。
【００２３】
図５に示す人工歯排列器具１１は、側面視において、直線状の柄部１２と、下方に向かって凸に湾曲した形状となった胴体部１３と腕部１４とからなる。
２本の腕部１４、１４は、それぞれ当接用の先端１４ａ、１４ａを有する。
この人工歯排列器具１１において、人工歯排列器具１と同一構造については説明を省略する。
また、この人工歯排列器具１１による対合歯と適切な咬合を得るための排列された人工歯の調整は、前述した人工歯排列器具１について説明したと同様なことから説明は省略する。
【００２４】
図６に示す人工歯排列器具２１は、柄部２２を別体とし、柄部２２に胴体部３に設けた埋込部３ａを埋め込んで固定したものである。柄部２２としては、例えば、耐熱性の合成樹脂を採用することができる。
この人工歯排列器具２１において、人工歯排列器具１と同一構造については、同一番号を付し説明を省略する。
また、この人工歯排列器具２１による対合歯と適切な咬合を得るための排列された人工歯の調整は、前述した人工歯排列器具１について説明したと同様なことから説明は省略する。
【００２５】
図７に示す人工歯排列器具３１は、柄部３２、胴体部３３、腕部３４を側面視において直線状としたものである。
この人工歯排列器具３１は、図７（ｃ）に示されるように、頬側からの人工歯の位置の調整に適したものである。
この人工歯排列器具３１において、人工歯排列器具１と同一構造については説明を省略する。
また、この人工歯排列器具３１による対合歯と適切な咬合を得るための排列された人工歯の調整は、前述した人工歯排列器具１について説明したと同様なことから説明は省略する。
【００２６】
図８に示す人工歯排列器具４１は、柄部４２、胴体部４３、腕部４４、４４からなり、腕部４４、４４は、基部から先端に向けて先細状となっているものである。
この人工歯排列器具４１において、人工歯排列器具１と同一構造については説明を省略する。
また、この人工歯排列器具４１による対合歯と適切な咬合を得るための排列された人工歯の調整は、前述した人工歯排列器具１について説明したと同様なことから説明は省略する。
【００２７】
以上の人工歯排列器具は、もっぱら、ガスバーナー等の火炎による加熱に適したものとして説明したが、これに限られず、例えば、人工歯排列器具の柄部に電気加熱手段を内蔵するようにしてもよい。
電気加熱手段等については、例えば、特開２００１−３１４４２１号公報に記載の電気加熱手段を内蔵したスパチュラに準じた構造を採用すればよい。
【００２８】
また、少なくとも腕部を電磁誘導加熱に適した材料として、電磁誘導加熱によって加熱するようにしてもよい。
電磁誘導加熱に適した材料としては、例えば、フェライト系ステンレスが例示できる。
電磁誘導加熱手段等については、例えば、特開２００４−５７３０４号公報に記載のスパチュラ加熱装置に準じた構造を採用すればよい。
【００２９】
以上における人工歯排列器具の使用説明は、下顎人工歯を対象とした場合について説明したが、上顎人工歯は、咬合器を上下逆さまにして行えばよいことから、詳細な説明を省略する。
また、人工歯排列器具の使用説明は、臼歯について行ったが、人工歯排列器具は前歯の咬合位置の調整に使用することができることはいうまでもない。この場合、臼歯において説明した用語「頬側」は、前歯では「唇側」と読み替えればよいことから、詳細な説明は省略する。
【符号の説明】
【００３０】
１  人工歯排列器具
２  柄部
３  胴体部
４  腕部
４ａ  当接用の先端
【図１】
2014057666.tif 000003
【図２】
2014057666.tif 000004
【図３】
2014057666.tif 000005
【図４】
2014057666.tif 000006
【図５】
2014057666.tif 000007
【図６】
2014057666.tif 000008
【図７】
2014057666.tif 000009
【図８】
2014057666.tif 000010
【図９】
2014057666.tif 000011
【図１０】
2014057666.tif 000012
【図１１】
2014057666.tif 000013
【図１２】
2014057666.tif 000014